(57)【特許請求の範囲】
【請求項１】
合成樹脂を射出成形した上下ハーフからなるカセット本体と、
上記カセット本体内に回転自在に配設される一対のテープリールと、
これらテープリールの間に亘って巻回される磁気テープとを備えてなり、
上記カセット本体の底面であって、上記カセット本体の背面側に位置する一方のコーナー部には、このカセット本体に収納される磁気テープの長さを検出するための複数の検出孔が設けられ、他方のコーナー部には、上記磁気テープの種類を識別するための複数の検出穴が設けられ、
上記カセット本体の底面に位置し、且つ、上記一対のテープリールの間の中心の左右両側の対称な位置に上記カセット本体の背面の一部を切り欠くようにして設けられた当該テープカセットの用途を識別するための一対のテープ種類識別穴が設けられていることを特徴とするテープカセット。
【請求項２】
上記一対のテープ種類識別穴は、角穴であることを特徴とする請求項１記載のテープカセット。
【請求項３】
上記一対のテープ種類識別穴の上記カセット本体の底面側からの深さが、上記カセット本体の背面に設けられるラベルエリアにかからない深さとされていることを特徴とする請求項１記載のテープカセット。
【発明の詳細な説明】
【０００１】
【産業上の利用分野】
本発明は、磁気テープを収納したテープカセットに関し、特にデータ用カセットとビデオ用カセットの識別を可能としたテープカセットに関する。
【０００２】
【従来の技術】
例えば、テープ幅が８ｍｍとされた磁気テープには、データ用のものとビデオ用のものとがある。これらデータ用のテープカセットとビデオ用のテープカセットは、いずれも共通の形態を有するカセット本体に磁気テープを収納しているため、外観上両者の識別が困難なものとなっている。
【０００３】
ビデオ用のテープカセットをデータ用として使用した場合には、データ用テープに比べてビデオ用テープはエラーレートの保証が低いために、記録容量が足りず、必要なデータを記録することができない場合が生ずる。さらに、必要なデータが欠落する等の問題が発生する。
【０００４】
【発明が解決しようとする課題】
本発明は、かかる従来の技術的な課題を解消するために、目視又は触れることによりビデオ用とデータ用のテープカセットを確実に識別することができる信頼性の高いテープカセットを提供することを目的とする。
【０００５】
【課題を解決するための手段】
上述のような目的を達成するために提案される本発明に係るテープカセットは、合成樹脂を射出成形した上下ハーフからなるカセット本体と、上記カセット本体内に回転自在に配設される一対のテープリールと、これらテープリールの間に亘って巻回される磁気テープとを備えてなり、上記カセット本体の底面であって、上記カセット本体の背面側に位置する一方のコーナー部には、このカセット本体に収納される磁気テープの長さを検出するための複数の検出孔が設けられ、他方のコーナー部には、上記磁気テープの種類を識別するための複数の検出穴が形成され、上記カセット本体の底面に位置し、且つ、上記一対のテープリールの間の中心の左右両側の対称な位置に上記カセット本体の背面の一部を切り欠くようにして設けられた当該テープカセットの用途を識別するための一対のテープ種類識別穴が設けられている。
【０００６】
ここで、上記テープ種類識別穴は、角穴として形成されている。
【０００７】
【作用】
本発明に係るテープカセットは、カセット本体の底面に、カセット本体の背面の一部を切り欠くようにしてテープ種類識別穴が設けられているので、目視によりデータ用のテープカセットであるかビデオ用のテープカセットであるかの種別を一目で判別することができる。また、テープ種類識別穴は、カセット本体の背面の一部を切り欠いて設けられることから、背面側より直ちにカセットの種類を識別でき、この背面側の切り欠き部分を触れるだけでも容易に識別可能となる。
【０００８】
さらに、テープ種類識別穴は、角穴として形成されていることから、円形穴として設けられる他の検出穴に対し、目視により一層容易に識別可能となる。
【０００９】
さらにまた、テープ種類識別穴は、一対のテープリールの間の中心に位置して設けられたリールロック解除レバー挿入孔の左右両側に位置して設けられているので、カセット本体を射出成形するときの樹脂流れがよくなり成形性が向上する。
【００１０】
すなわち、テープリール間の中心線上から樹脂を射出して成形したとき、樹脂は左右均等に流れる。
【００１１】
【実施例】
以下、本発明を適用した具体的な実施例について図面を参照しながら詳細に説明する。
【００１２】
本発明に係わるテープカセットは、図１に示すように、上ハーフ１と下ハーフ２とからなるカセット本体３と、上記カセット本体３内に回転自在に配設される一対のテープリール４，５と、これらテープリール４，５間に亘って巻装される磁気テープ６とを備える。
【００１３】
カセット本体３を構成する上ハーフ１と下ハーフ２は、いずれも磁気テープ６が巻装された一対のテープリール４，５を回転可能に収納するに足る大きさに射出成形することによって一体に形成されてなる。これら上ハーフ１と下ハーフ２とは、互いの開口側を相対向させて突き合わせ結合することにより、カセット本体３を構成する。
【００１４】
カセット本体３の上面３ａには、当該カセット本体３内に収納される磁気テープ６の巻姿を外部から目視により確認できるように透明な窓部（図示は省略する。）が設けられている。なお、図１では、その透明窓部に相当する部分を破断して示してある。
【００１５】
一方、カセット本体３の底面３ｂには、図２に示すように、テープリール４，５のハブ部の一部を外方に臨ませ、該テープリール４，５の回転を規制するためのハブ嵌合穴７，８が設けられている。これらハブ嵌合穴７，８は、巻取り側のテープリール４と供給側のテープリール５とそれぞれ相対向する位置に設けられ、これらテープリール４，５のハブ部の外径寸法と略同一径とされた円形状をなす穴として設けられている。
【００１６】
また、カセット本体３の底面３ｂには、記録再生装置側に設けられる光検出機構を構成する発光素子がこのカセット本体３内に臨む発光素子挿入用孔９が設けられている。発光素子挿入用孔９は、記録再生装置側に設けられる発光素子と相対向する位置に円形の孔として形成されている。すなわち、発光素子挿入用孔９は、記録再生装置のテープ引出しピンが挿入されるカセット本体３の前面側に切り欠かれたテープ引き出し凹部１０寄りであって、一対のテープリール４，５間に位置する略中央部に設けられている。
【００１７】
さらに、カセット本体３の底面３ｂには、記録再生装置側に設けられるカセット位置決めピンが挿入係合し、記録再生装置に対するテープカセットの装着位置の位置決めを行うためのカセット位置決め孔１１，１２が設けられている。これらカセット位置決め孔１１，１２は、カセット本体３のテープ引出し凹部１０寄りの開口両端縁部に円形状をなす孔と楕円形状をなす孔として形成されている。
【００１８】
さらにまた、カセット本体３の底面３ｂには、このカセット本体３に収納される磁気テープ６の長さを検出するためのテープ長検出孔１３が複数設けられている。これらテープ長検出孔１３は、一方のハブ嵌合穴７に近接するカセット本体３のコーナー部分に小さな円形状をなす有底の止まり穴として形成されている。その反対側のカセット本体３のコーナー部分には、テープの種類を識別するための検出穴１４が複数設けられている。これら検出穴１４は、やはり小さな円形状をなす穴として形成されている。
【００１９】
一対のテープリール４，５は、いずれも磁気テープ６が巻回される円筒状をなすハブ部と、このハブ部の片側にのみ設けられる円盤状をなすフランジ部（いずれも図示は省略する。）とを有してなる。これらテープリール４，５は、フランジ部が設けられる側のハブ部の一端部が、カセット本体３の底面３ｂに開設されたハブ嵌合穴７，８に臨むことによって枢支されている。これらテープリール４，５は、ハブ部の回転中心部を上ハーフ１に設けられたリール押さえバネ１５，１６によって軸方向に押圧されることにより、カセット本体３内でのがたつきが抑えられる。
【００２０】
一対のテープリール４，５間に巻回された磁気テープ６は、各テープリール４，５のクランパーによって一端が固定された透明なリーダーテープの他端に接続されている。これら磁気テープ６とリーダーテープは、スプライステープと称される透明で薄く、一方の面に粘着層が形成された接続用テープによって接続されている。
【００２１】
このように接続用テープによってテープリール４，５に巻回された磁気テープ６は、カセット本体３のテープ引出し凹部１０の開口周縁部に設けられた半円弧状をなすテープガイド部材（図示は省略する。）にガイドされて、テープ引出し凹部１０内を直線状に引き出されるようになっている。
【００２２】
このテープ引出し凹部１０内を走行する磁気テープ６は、記録再生装置に装着されない状態のときに塵埃や外力等から磁気テープ６を保護するための開閉蓋として機能するフロントリッド１７とバックリッド１８によって挟み込まれる形で覆われている。これらフロントリッド１７とバックリッド１８は、記録再生装置に装着されない状態のときには、磁気テープ６を挟み込む形でテープ引出し凹部１０を覆い、記録再生装置に装着されると図１中矢印Ａ方向に回動して磁気テープ６をテープ引出し凹部１０内に露出させる。
【００２３】
本発明においては、データ用のテープカセットとビデオ用のテープカセットを識別するために、データ用の磁気テープ６が収納されてなるテープカセットにのみ、テープ種類識別穴１９，２０が設けられている。これらテープ種類識別穴１９，２０は、カセット本体３の底面３ｂに位置し、当該カセット本体３の背面３ｃの一部を切り欠くようにして、一対のテープリール４，５の回転を防止するリールロック機構のリールロックを解除するリールロック解除レバーが挿入されるリールロック解除レバー挿入孔２１の左右両側の対称な位置に設けられている。
【００２４】
なお、リールロック解除レバー挿入孔２１は、図２に示すように、カセット本体３の左右方向の中央部であって、カセット本体３内に配設された一対のテープリール４，５の間の中心に位置して設けられている。
【００２５】
そして、一対のテープ種類識別穴１９，２０は、カセット本体３の底面３ｂからカセット本体３の背面３ｃに亘る一部を切り欠くようにして形成され、カセット本体３の底面３ｂ側から見たとき、平面形状が略矩形状をなす角穴として形成されている。
【００２６】
すなわち、一対のテープ種類識別穴１９，２０は、カセット本体３の底面３ｂと背面３ｃの接続部分であるエッジ部３ｄを削り取る形で、リールロック解除レバー挿入孔２１の両側の左右対称な位置に平面略矩形状をなす角穴として形成されている。なお、カセット本体３のテープ種類識別穴１９，２０が設けられるリールロック解除レバー挿入孔２１の両側部分は空洞部となっており、記録再生に何ら影響のない領域となっている。
【００２７】
本発明において、テープ種類識別穴１９，２０の形状については、特に限定されることはないが、先のテープ長検出孔１３や検出穴１４のように円形のものと比較して直ちに目視により識別することができるような形状であればよい。また、テープ種類識別穴１９，２０の穴深さは、記録再生側の検出手段によって検出でき、且つ手で触れることによりテープ種類識別穴１９，２０があることが判れば特に限定されないが、カセット本体３の背面３ｃに設けられるラベルエリアにかからない程度であることが必要である。本実施例では、テープ種類識別穴１９，２０は、角穴形状とし、その穴深さは、カセット本体３の背面３ｃに設けられるラベルエリアの上面に至る位置までとした。
【００２８】
このように、カセット本体３の背面３ｃの一部を切り欠くようにしてテープ種類識別穴１９，２０を設けたことにより、目視によりデータ用のカセットであることが直ちに識別できる。また、目の不自由な人であっても、カセット本体３のエッジ部３ｄに設けられるテープ種類識別穴１９，２０に触れるだけでデータ用のカセットであることを容易に識別できる。さらには、テープ種類識別穴１９，２０は、他の円形穴とされた検出穴１３，１４に対し、角穴として形成されていることから、テープカセットを裏返してみた瞬間にデータ用のカセットであることを識別することができる。
【００２９】
本発明に係るテープカセットは、一対のテープ種類識別穴１９，２０をリールロック解除レバー挿入孔２１の両側の左右対称な位置に設けているので、このような穴を複数設けた場合でも、カセット本体３を射出成形によって成形するときの樹脂の流れを阻害することなく成形することができる。また、このテープ種類識別穴１９，２０をリールロック解除レバー挿入孔２１の両側の左右対称な位置に同一の形状として設けることにより、樹脂が収縮することによって生ずる歪みや捩じれの発生を防止でき、カセット基準面として機能するカセット本体３の底面３ｂの平坦度を高精度に維持できる。さらに、このテープ種類識別穴１９，２０をローディングする際の引掛け部として使用することもできる。
【００３０】
【発明の効果】
上述したように、本発明は、カセット本体に設けられるデータ用途を識別するための一対のテープ種類識別穴を、カセット本体の底面であってカセット本体に収納された一対のテープリールの間の中心の左右両側の対称な位置にカセット本体の背面の一部を切り欠くように設けているので、このテープ種類識別穴を確認することにより、当該テープカセットがデータ用のテープカセットであるかビデオ用のテープカセットであるかを瞬時にして確実に識別することができる。
【００３１】
特に、本発明は、一対のテープ種類識別穴を、カセット本体の底面に位置し、且つ、カセット本体に収納された一対のテープリールの間の中心に位置して設けられたリールロック解除レバー挿入孔の左右両側の対称な位置に設けているので、カセット本体を構成する合成樹脂からなる上下ハーフを射出成形によって成形するときの樹脂の流れを阻害することなく良好な成形を行うことができ、しかも、樹脂成形を行った後に樹脂が収縮することによって生ずる歪みや捩れの発生を防止でき、記録再生装置への装着基準面として機能するカセット本体の底面の平坦度を大幅に向上することができる。
【００３２】
さらにまた、カートリッジ本体の底面から背面に亘る位置に形成される一対のテープ種類識別穴は、上記カセット本体の底面側からの深さが、上記カセット本体の背面に設けられるラベルエリアにかからない深さとされているので、ラベルエリアに段差等を発生させることがないので、安定してラベルを貼ることができ、しかも、ラベルエリアに貼着されるをラベルによって覆われることもないので、識別性が損なわれることもない。
【００３３】
そして、テープ種類識別穴を角穴として形成することにより、通常円形穴として設けられる他の検出穴との対比において、一目して当該テープカセットがデータ用のテープカセットであるかビデオ用のテープカセットであるかを識別することができる。
【００３４】
したがって、本発明を適用することにより、高精度に精度を維持して形成でき、しかも、ビデオ用とデータ用のテープカセットの識別を確実となし、誤ってビデオ用のテープカセットをデータ用として使用してしまうような誤使用を確実に防止でき、データ用のテープカセットに必要な記録データの記録欠落を生じさせることなく確実に記録するようにでき、使用するテープカセットの信頼性を向上することができる。
【図面の簡単な説明】
【図１】本発明を適用したテープカセットを上ハーフ側から見た斜視図である。
【図２】本発明を適用したテープカセットを下ハーフ側から見た斜視図である。
【符号の説明】
１  上ハーフ、  ２  下ハーフ、  ３  カセット本体、  ３ｂ  カセット本体の底面、  ３ｃ  カセット本体の背面、  ４，５  テープリール、  ６  磁気テープ、  １９，２０  テープ種類識別穴
【図１】
0003549215.tif 000002
【図２】
0003549215.tif 000003